(57)【要約】      （修正有）【課題】頭皮、毛根或いは毛髪等を痛めず、育毛効果を促進できるとともに、頭部に心地良い刺激を与えることができリラクゼーション効果や眼精疲労の回復等の効果も生じる構造、取扱が簡単な栄養循環育毛器を実現する。【解決手段】栄養循環育毛器１の本体を構成する軸棒固定板２には、複数の軸受孔６が前後方向に間隔をおいて形成され、軸棒固定板２の中央部にハンドル３が上方に向けて取り付けられており、ハンドル３の把持部の頂面１１は球面状に形成され、複数の軸棒が軸受孔６内に回転可能に支持され、複数の軸棒４に左右複数対のローラ５が固定され、このローラ５の転動面はＲ面に形成されている。【選択図】図１
0003110064.tif 000002
【実用新案登録請求の範囲】
【請求項１】
軸棒固定板、ハンドル、複数の軸棒及び左右複数対のローラから成る栄養循環育毛器であって、
前記ハンドルは、前記軸棒固定板の中央部に上方に突設するように取り付けられており、
前記軸棒固定板には、前記複数の軸棒により、左右複数対のローラが前後方向に間隔をおいて回転可能に取り付けられていることを特徴とする栄養循環育毛器。
【請求項２】
軸棒固定板、ハンドル、複数の軸棒及び左右複数対のローラから成る栄養循環育毛器であって、
前記軸棒固定板は、それぞれ側方且つ水平に向け、複数の軸受孔が前後方向に間隔をおいて形成されており、
前記ハンドルは、前記軸棒固定板の中央部に上方に突設するように取り付けられており、該ハンドルの把持部の頂面は球面又は凸曲面状に形成されており、
前記複数の軸棒は、前記複数の軸受孔により回転可能に支持されており、
前記左右複数対ローラは、それぞれ前記軸棒の端部に固定され、その外周囲の転動面はＲ面に形成されていることを特徴とする栄養循環育毛器。
【考案の詳細な説明】
【技術分野】
【０００１】
本考案は、頭皮や毛根における栄養が不足している部分に、ローラを押しつけて移動させ、頭部の全体又は一部分の頭皮や毛根に、バランスよく栄養を与え、髪が無い部分又は薄い部分を改善する栄養循環育毛器に関するものである。
【背景技術】
【０００２】
頭皮や毛根の栄養が不足していると、頭髪の薄くなる原因として知られている。従来、頭皮にボールやローラでマッサージして刺激を与え、血行を良くして育毛促進を図るという頭皮マッサージによる育毛促進のためのいろいろな器具類が提案されている。
【０００３】
例えば、取っ手を付けた台座にボールベアリングを設けたマッサージ器具により頭皮の血行を促進させるものが知られている（特許文献１参照）。また、頭部に装着し、電動モータで磁気ローラを回転させて頭皮に刺激を与える頭皮マッサージ育毛促進装置が知られている（特許文献２参照）。さらには、弾性を有する突起で頭皮をたたき血行を良くして発毛を促進させるためのマッサージ器が知られている（特許文献３参照）。
【特許文献１】特開２００２−１１３０６２号公報
【特許文献２】特開２００２−０８５５０３号公報
【特許文献３】実開平２−６１３４３号公報
【考案の開示】
【考案が解決しようとする課題】
【０００４】
従来のマッサージによる育毛促進器具によると、頭皮に刺激を与えることはできるが、その多くは、頭皮及び毛髪を強く押しつけたり、叩いたりするから、毛根を痛めたり、頭皮を傷つけたりする可能性がある。
【０００５】
そして、上記特許文献２のような電動式の場合は頭部の一定の箇所を自動的マッサージできるが、使用者が任意のプログラムに従って、頭部の任意の箇所に刺激を与えるようなことはできない。
【０００６】
本考案は、上記従来のマッサージによる育毛促進器具により生じるような問題のない、簡単な構造で使い勝手が良く、頭皮、毛根或いは毛髪を痛めず、頭皮や毛根に優しく刺激を与えて、血行を良くし、育毛促進効果のすぐれた栄養循環育毛器を実現することを、その課題とする。
【課題を解決するための手段】
【０００７】
本考案は上記課題を解決するために、軸棒固定板、ハンドル、複数の軸棒及び左右複数対のローラから成る栄養循環育毛器であって、前記ハンドルは、前記軸棒固定板の中央部に上方に突設するように取り付けられており、前記軸棒固定板には、前記複数の軸棒により、左右複数対のローラが前後方向に間隔をおいて回転可能に取り付けられていることを特徴とする栄養循環育毛器を提供する。
【０００８】
本考案は上記課題を解決するために、軸棒固定板、ハンドル、複数の軸棒及び左右複数対のローラから成る栄養循環育毛器であって、前記軸棒固定板は、それぞれ側方且つ水平に向け、複数の軸受孔が前後方向に間隔をおいて形成されており、前記ハンドルは、前記軸棒固定板の中央部に上方に突設するように取り付けられており、該ハンドルの把持部の頂面は球面又は凸曲面状に形成されており、前記複数の軸棒は、前記複数の軸受孔により回転可能に支持されており、前記左右複数対ローラは、それぞれ前記軸棒の端部に固定され、その外周囲の転動面はＲ面に形成されていることを特徴とする栄養循環育毛器を提供する。
【考案の効果】
【０００９】
上記解決手段を特徴とする本考案の栄養循環育毛器によれば、次のような効果が生じる。
（１）使用者が把持し手動で前後左右に複数対のローラ（例．前後２対のローラ）を転動させて、頭皮や毛根に刺激を与える構成であるから、頭部の１箇所を押圧したり、叩いたりすることがなく、頭皮、毛根或いは毛髪等を痛めず、頭皮における栄養の循環を良くし、頭皮にバランス良く栄養を供給し、育毛効果を促進でき、しかも安全で、安心して使用することができる。
【００１０】
（２）手動式であり、薬品類及び電気等の使用はしてないので、その構造は簡単であるから、使用者は低価格で、容易に入手でき、その取扱も簡単である。そして、電動式のものに較べて、頭皮や毛根を刺激する頭部の箇所や強さを自由に選択できるできるから、各人に特有な毛髪のパターン等に応じて、適切なプログラムの下に自由に、きめ細かく頭皮や毛根に刺激を与えることができ、発毛乃至育毛効果がすぐれ、又白髪の予防や黒髪にする等の効果も期待できる。
【００１１】
（３）さらに、転動面が凸状のＲ面に形成されたローラにより、頭皮に心地良い刺激を与え、リラクゼーション効果や眼精疲労の回復等の効果等副次的な効果も生じる。
【考案を実施するための最良の形態】
【００１２】
本考案に係る栄養循環育毛器を実施するための最良の形態を実施例に基づいて図面を参照して、以下に説明する。
【実施例】
【００１３】
図１は、本考案に係る栄養循環育毛器の実施例の全体構成を示す斜視図であり、図２（ａ）は正面図であり、図２（ｂ）は図２（ａ）のＡ−Ａ断面図である。図３は、使用方法を説明する図である。
【００１４】
図１及び図２において、この実施例の栄養循環育毛器１は、軸棒固定板２、ハンドル３、軸棒４、及び左右２対のローラ５（４つのローラ）等の部材から構成される。これら栄養循環育毛器１を構成する部材は、木材で形成する。木材としては、その原因は明確ではないが、特にケヤキが育毛促進効果において、最も有効である。なお、木材でなくても、樹脂、金属、セラミック等の材料を単独又は組み合わせて使用してもよい。
【００１５】
軸棒固定板２は、前後方向に長く、断面が４角形の部材（例えば、長さ６２ｍｍ、横幅１６ｍｍ、縦幅２０ｍｍ）である。この軸棒固定板２の前後部には、それぞれ左右方向に貫通した軸受孔６が形成されており、この軸受孔６に軸棒４（例えば、全長８０ｍｍ、外径φ８ｍｍ）が回転可能、且つ左右水平方向に延びるように取り付けられている。
【００１６】
軸棒固定板２の前後部に回転可能に取り付けられた前後の軸棒４には、それぞれ左右にローラ５が固着されている。これにより、軸棒固定板２の前後の左右側面には、それぞれ左右一対、合計、左右２対のローラ５が軸棒４とともに回転可能に装着されている。
【００１７】
栄養循環育毛器１を使用する際には、ローラ５を頭部の頭皮や毛髪に当接し、図１に示す矢印の方向に転動させるものである。ローラ５は、図１、２に示すように、ほぼ円柱体であるが、側方から見ると円形（例えば、直径４０ｍｍ）である（図２（ｂ）参照）。正面から見ると転動面となる外周面は凸状のＲ面７として形成されている（図２（ａ）参照）。
【００１８】
なお、このＲ面７のＲ（半径）は、Ｒをいろいろと変えて試作品を製作して、試験を重ねてみたところ、Ｒ＝３７ｍｍ程度であると、頭皮や毛根に対して適度に刺激を与え、最も髪が生えやすい最良の寸法であるという知見を得た。しかも、Ｒ＝３７ｍｍ程度であると、ローラ５が使用者に与える感触も良いことが分かった。
【００１９】
ハンドル３は、把持部８、支持軸９及び取付軸１０が互いに同軸上にあって、一体又は別体で形成されている。把持部８（例えば、全長４５ｍｍ）は、その頂面１１が使用者の掌内に収まって把持できる程度の大きさの半径（例えば、２５ｍｍ）の半球面に形成されている。把持部８の下部は、半球の面である頂面１１に連続する円柱（例えば、外径φ５０ｍｍ）として形成されている。
【００２０】
支持軸９は円柱（例えば、直径２０ｍｍ）であり、把持部８の底面から下方に突設するように設けられている。さらに、取付軸１０（例えば、直径８ｍｍ）は、支持軸９の下面から下方に延びており、軸棒固定板２の前後方向中央に形成された取付孔１２に嵌入され、接着剤等により固定されている。
【００２１】
（作用）
以上の構成から成る本考案に係る栄養循環育毛器１の作用を説明する。使用者は、ハンドル３の把持部８を握り、毛髪の薄い箇所等、頭部に４つのローラ５のＲ面７を当接する。そして、適度の力でローラ５を、頭皮、毛髪等に押し当てながら、図１に示す矢印の方向に、頭部に沿ってローラ５を転動する。
【００２２】
このように、栄養循環育毛器１のローラ５を頭部に当てて頭皮、毛髪等に押し当てながら転動することにより、ローラ５のＲ面７がほどよく頭皮や毛根を刺激するとともに、頭皮や毛根の血行を促進し、頭皮、毛根及び頭髪における栄養分の循環を良くして、栄養分をバランス良く頭部に分散、供給し、育毛効果を高め、又発毛を促進することが可能となる。
【００２３】
この結果、髪の毛のないところ、又は、薄いところが改善されて太い髪の毛が生えてくるという効果が生じる。又、頭皮や毛根にバランス良く栄養分が供給されるから、白髪を予防し、黒髪を蘇らせることも期待できる。なお、髪の長さはスポーツ刈り程度の長さが一番効果的である。
【００２４】
（使用例）
本考案に係る栄養循環育毛器１の使用例を図３とともに説明する。図３では、頭の頂部１３の毛髪が薄い（又は無い）場合であり、このような場合は次の（１）〜（３）のような順序で使用するとよい。
【００２５】
（１）まず、使用者は、ハンドル３を把持し、栄養循環育毛器１の４つのローラ５を毛髪が薄い又は無い頭の頂部１３に押しつけながら、四方八方から往復転動させる。図３（ａ）の右の図は、頂部１３に対してローラ５を四方八方から往復転動させる往復方向を示す図である。この往復転動させる際に、ハンドル３による押しつける力の強弱を手加減する。例えば、約２分弱め、約２分強めにローラを移動させる。
【００２６】
（２）次に、図３（ｂ）に示すように、毛髪の生えている部分から生えぎわ部分１４に向けて、そしてその逆向きに、上下方向に４つのローラを往復転動させる。頂部１３における毛髪が薄い又は無い部分が円形であれば、その周囲の生えぎわ部分１４における髪の毛が生えている上下方向に約２ｃｍ程度の部分１５について、図３（ｂ）の矢印に示すように、集中的に往復転動を約２分繰り返す。
【００２７】
（３）さらに、図３（ｃ）の矢印に示すように、頭の頂部１３における毛髪の薄い又は無い部分に向けて、その周囲の裾部から４個のローラを転動させる。そして顔の部分では、毛髪の下端の２ｃｍ位の額の部分１６から４個のローラを転動させる。これを約２分程度行う。
【００２８】
この使用例に沿って、約３ヶ月、毎日、朝と夕の計２回、継続的に行うことで、毛髪が生えている部分については、こしの無い髪からこしの有る硬めの太い髪の毛に変化していくことが期待できる。
【００２９】
そして、さらに半年程度続ければ、髪のある部分から無い部分へ、生えやすい所から一方向又は部分的に、うぶ毛又は太い毛が生えてくることが期待できる。そして、人によって異なるものとは考えられるが、約３年程度、上記使用例に沿って栄養循環育毛器１を使用すれば、髪の無い直径約１１ｃｍの円形部分が、ほぼ回復する可能性がある。なお、髪の毛は、生え易い所があり、本考案に係る栄養循環育毛器１を使用していると、生え易い所から徐々に生えてくるという知見も得た。
【００３０】
以上、本考案に係る栄養循環育毛器を実施するための最良の形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００３１】
以上の構成から成る本考案の栄養循環育毛器は、頭皮、毛根或いは毛髪等を痛めず育毛効果を促進できるとともに、頭部に心地良い刺激を与えることができるから、リラクゼーション効果や眼精疲労の回復等の効果も生じ、さらに手動式で、薬品類及び電気等の使用はしてないので、その構造、取扱が簡単であり、安全で、安心して使用することができるから、中高年、だけでなく高齢者用の促進に好適である。
【図面の簡単な説明】
【００３２】
【図１】本考案に係る栄養循環育毛器１の実施例の全体構成を示す斜視図である。
【図２】（ａ）は正面図であり、（ｂ）は（ａ）のＡ−Ａ断面を示す図である。
【図３】本考案に係る栄養循環育毛器１の使用方法を説明する図である。
【符号の説明】
【００３３】
１  栄養循環育毛器
２  軸棒固定板    
３  ハンドル      
４  軸棒          
５  ローラ        
６  軸受孔        
７  Ｒ面        
８  把持部        
９  支持軸        
１０  取付軸      
１１  頂面        
１２  取付孔      
１３  使用者の頭の頂部    
１４  生えぎわ部分
１５  生えぎわにおける上下方向にロールを転動する部分
１６  毛髪の下端の２ｃｍ位の額の部分
【図１】
0003110064.tif 000003
【図２】
0003110064.tif 000004
【図３】
0003110064.tif 000005